(57)【特許請求の範囲】
【請求項１】
記録媒体が装着される装着手段と、
上記装着手段に装着される上記記録媒体に記録されるＴＯＣ（Table of Contents）情報及びオーディオ情報を読み出す読み出し手段と、
複数の付加情報及び楽譜情報が蓄積される情報センタに接続する通信手段と、
上記読み出し手段により読み出された上記オーディオ情報を記憶手段に書き込む書き込み手段と、
上記ＴＯＣ情報により生成された識別情報を上記通信手段を介して上記情報センタに送信することにより、当該情報センタから取得された、上記オーディオ情報に対応する上記付加情報としてのタイトル名及びジャケットイメージと、上記楽譜情報とを、上記書き込み手段が上記記憶手段に書き込むように制御する制御手段と、
上記記憶手段に記憶される上記オーディオ情報を出力する音声出力手段と、
上記記憶手段に記憶される上記タイトル名、上記ジャケットイメージ、及び上記楽譜情報を、上記音声出力手段による上記オーディオ情報の出力に合わせて表示手段に表示させる表示制御手段と、
上記楽譜情報を指定することにより上記オーディオ情報の出力開始位置を指定する指定手段とを備え、
上記制御手段は、上記指定手段により指定された出力開始位置から上記オーディオ情報を出力するように上記音声出力手段を制御すること
を特徴とする記録再生装置。
【請求項２】
上記識別情報は上記ＴＯＣ情報のサイズであって、当該ＴＯＣ情報のサイズを上記通信手段を介して上記情報センタに送信することにより、当該ＴＯＣ情報に応じた少なくとも上記付加情報を受信すること
を特徴とする請求項１記載の記録再生装置。
【請求項３】
上記識別情報は曲の演奏時間情報であって、当該曲の演奏時間情報を上記通信手段を介して上記情報センタに送信することにより、当該曲の演奏時間情報に応じた少なくとも上記付加情報を受信すること
を特徴とする請求項１記載の記録再生装置。
【請求項４】
上記楽譜情報は、少なくとも小節番号を含んでおり、上記制御手段は、上記指定手段により指定された小節番号に応じた出力開始位置から上記オーディオ情報を出力するように上記音声出力手段を制御すること
を特徴とする請求項１記載の記録再生装置。
【請求項５】
上記楽譜情報は、少なくとも楽章番号を含んでおり、上記制御手段は、上記指定手段により指定された楽章番号に応じた出力開始位置から上記オーディオ情報を出力するように上記音声出力手段を制御することを特徴とする請求項１記載の記録再生装置。
【請求項６】
上記記憶手段に記憶される上記タイトル名、上記ジャケットイメージ、及び上記楽譜情報を、上記オーディオ情報と共に、携帯再生装置に転送する転送手段を備えることを特徴とする請求項１記載の記録再生装置。
【請求項７】
遠隔地に設置されて、複数の付加情報及び楽譜情報が蓄積されている情報センタと、
この情報センタに接続される記録再生装置と
を有する記録再生システムであって、
上記記録再生装置は、
記録媒体が装着される装着手段と、
上記装着手段に装着される上記記録媒体に記録されるＴＯＣ（Table of Contents）情報及びオーディオ情報を読み出す読み出し手段と、
上記情報センタに接続する通信手段と、
上記読み出し手段により読み出された上記オーディオ情報を記憶手段に書き込む書き込み手段と、
上記ＴＯＣ情報により生成された識別情報を、上記通信手段を介して上記情報センタに送信することにより、当該情報センタから取得された、上記オーディオ情報に対応する上記付加情報としてのタイトル名及びジャケットイメージと、上記楽譜情報とを、上記書き込み手段が上記記憶手段に書き込むように制御する制御手段と、
上記記憶手段に記憶される上記オーディオ情報を出力する音声出力手段と
上記記憶手段に記憶される上記タイトル名、上記ジャケットイメージ、及び上記楽譜情報を、上記音声出力手段による上記オーディオ情報の出力に合わせて表示手段に表示させる表示制御手段と、
上記楽譜情報を指定することにより上記オーディオ情報の出力開始位置を指定する指定手段とを備え、
上記制御手段は、上記指定手段により指定された出力開始位置から上記オーディオ情報を出力するように上記音声出力手段を制御すること
を特徴とする記録再生システム。
【請求項８】
上記識別情報はＴＯＣ（Table of Contents）情報のサイズであって、当該ＴＯＣ情報のサイズを上記通信手段を介して上記情報センタに送信することにより、当該ＴＯＣ情報に応じた少なくとも上記付加情報を受信すること
を特徴とする請求項７記載の記録再生システム。
【請求項９】
上記識別情報は曲の演奏時間情報であって、当該曲の演奏時間情報を上記通信手段を介して上記情報センタに送信することにより、当該曲の演奏時間情報に応じた少なくとも上記付加情報を受信すること
を特徴とする請求項７記載の記録再生システム。
【請求項１０】
上記楽譜情報は、少なくとも小節番号を含んでおり、上記制御手段は、上記指定手段により指定された小節番号に応じた出力開始位置から上記オーディオ情報を出力するように上記音声出力手段を制御すること
を特徴とする請求項７記載の記録再生システム。
【請求項１１】
上記楽譜情報は、少なくとも楽章番号を含んでおり、上記制御手段は、上記指定手段により指定された楽章番号に応じた出力開始位置から上記オーディオ情報を出力するように上記音声出力手段を制御すること
を特徴とする請求項７記載の記録再生システム。
【請求項１２】
上記記憶手段に記憶される上記タイトル名、上記ジャケットイメージ、及び上記楽譜情報を、上記オーディオ情報と共に、携帯再生装置に転送する転送手段を備えることを特徴とする請求項７記載の記録再生システム。
【請求項１３】
記録再生装置と携帯再生装置とを有する記録再生システムであって、
上記記録再生装置は、
記録媒体が装着される装着手段と、
上記装着手段に装着される上記記録媒体に記録されるＴＯＣ（Table of Contents）情報及びオーディオ情報を読み出す読み出し手段と、
複数の付加情報及び楽譜情報が蓄積される情報センタに接続する通信手段と、
上記読み出し手段により読み出された上記オーディオ情報を記憶手段に書き込む書き込み手段と、
上記ＴＯＣ情報により生成された識別情報を上記通信手段を介して上記情報センタに送信することにより、当該情報センタから取得された、上記オーディオ情報に対応する上記付加情報としてのタイトル名及びジャケットイメージと、上記楽譜情報とを、上記書き込み手段が上記記憶手段に書き込むように制御する制御手段と、
上記記憶手段に記憶される上記オーディオ情報を出力する音声出力手段と、
上記記憶手段に記憶される上記タイトル名、上記ジャケットイメージ、及び上記楽譜情報を、上記音声出力手段による上記オーディオ情報の出力に合わせて表示手段に表示させる表示制御手段と、
上記楽譜情報を指定することにより上記オーディオ情報の出力開始位置を指定する指定手段と、
上記記憶手段に記憶される上記タイトル名、上記ジャケットイメージ、及び上記楽譜情報を、上記オーディオ情報と共に、携帯再生装置に転送する転送手段とを備え、
上記制御手段は、上記指定手段により指定された出力開始位置から上記オーディオ情報を出力するように上記音声出力手段を制御し、
上記携帯再生装置は、
上記オーディオ情報を再生する再生手段と、
上記オーディオ情報の付加情報を表示する表示部と、
上記記録再生装置より転送された楽譜情報を参照して、上記オーディオ情報の所望の位置から上記再生手段が上記オーディオ情報を再生するように制御する携帯再生装置制御手段とを備えること
を特徴とする記録再生システム。
【請求項１４】
装着手段に装着される記録媒体に記録されるＴＯＣ（Table of Contents）情報及びオーディオ情報を読み出すステップと、
上記ＴＯＣ情報により生成された識別情報を通信手段を介して情報センタに送信することにより、当該情報センタから取得された、上記オーディオ情報に対応する上記付加情報としてのタイトル名及びジャケットイメージと、上記楽譜情報とを、記憶手段に書き込むステップと、
上記記憶手段に記憶される上記オーディオ情報を出力するステップと、
上記記憶手段に記憶される上記タイトル名、上記ジャケットイメージ、及び上記楽譜情報を、上記オーディオ情報の出力に合わせて表示手段に表示させるステップと、
上記楽譜情報を指定することにより上記オーディオ情報の出力開始位置を指定するステップと、
上記指定された出力開始位置から上記オーディオ情報を出力するステップと
を記録再生装置に実行させるためのプログラムが記録された記録媒体。
【請求項１５】
装着手段に装着される記録媒体に記録されるＴＯＣ（Table of Contents）情報及びオーディオ情報を読み出すステップと、
上記ＴＯＣ情報により生成された識別情報を通信手段を介して情報センタに送信することにより、当該情報センタから取得された、上記オーディオ情報に対応する上記付加情報としてのタイトル名及びジャケットイメージと、上記楽譜情報とを、記憶手段に書き込むステップと、
上記記憶手段に記憶される上記オーディオ情報を出力するステップと、
上記記憶手段に記憶される上記タイトル名、上記ジャケットイメージ、及び上記楽譜情報を、上記オーディオ情報の出力に合わせて表示手段に表示させるステップと、
上記楽譜情報を指定することにより上記オーディオ情報の出力開始位置を指定するステップと、
上記指定された出力開始位置から上記オーディオ情報を出力するステップと、
を記録再生装置に実行させるためのプログラムと、
上記記録再生装置より転送されたオーディオ情報を再生するステップと、
上記オーディオ情報の付加情報を表示部に表示するステップと、
上記記録再生装置より転送された楽譜情報を参照して、上記オーディオ情報の所望の位置から上記オーディオ情報を再生するように制御するステップと
を携帯再生装置に実行させるためのプログラムと
が記録された記録媒体。
【発明の詳細な説明】
【０００１】
【発明の属する技術分野】
本発明は、情報を記録及び再生する記録再生装置、記録再生システム、及び記録媒体に関し、詳しくは、記録媒体から読み出した情報を再生する記録再生装置、記録再生システム、及び記録媒体に関する。
【０００２】
【従来の技術】
従来より、クラッシック等がオーディオ情報として記録されている光ディスク等の記録媒体を再生する記録再生装置がある。
【０００３】
そして、従来の記録再生装置には、光ディスクに記録されている曲の頭出しができるように構成されているものもある。光ディスクには、頭出し情報が記録されており、この情報に基づいて従来の記録再生装置は、当該光ディスクに記録されているオーディオ情報の頭出し行っている。
【０００４】
【発明が解決しようとする課題】
ところで、頭出し情報は、クラッシック音楽等にあっては、通常、楽章毎とされ、多くても、曲の大きな変わり目にインデックス番号が記録されているにすぎない。
【０００５】
また、頭出し情報がない場合には、早送り／巻戻しによって行う場合が多く、これでは非常に不便である。また、絶対時間を指定して、頭出しする手段もあるが、演奏者によって演奏時間が違うことがあり、これでは一定箇所の頭出しを行うことができない。
【０００６】
さらに、上記インデックス番号を利用した頭出しは、インデックスサーチ機能によって可能とされるが、例えば、携帯化された記録再生装置は、当該インデックスサーチ機能が省略されていることが多く、よって、携帯型の記録再生装置において、上記インデックス番号を利用した頭出しができない場合がある。例えば、曲において、楽譜毎、小節毎に頭出しができれば、所望の小節について繰り返し再生することが容易になる。例えば、所望の小節について繰り返し再生することができると、当該小節の演奏を練習等する場合に便利である。
【０００７】
そこで、本発明は、上述の実情に鑑みてなされたものであって、情報の特定の場所の頭出しを行うことができる記録再生装置、記録再生システム、及び記録媒体の提供を目的とする。
【０００８】
【課題を解決するための手段】
本発明に係る記録再生装置は、上述の課題を解決するために、記録媒体が装着される装着手段と、上記装着手段に装着される上記記録媒体に記録されるＴＯＣ（Table of Contents）情報及びオーディオ情報を読み出す読み出し手段と、複数の付加情報及び楽譜情報が蓄積される情報センタに接続する通信手段と、上記読み出し手段により読み出された上記オーディオ情報を記憶手段に書き込む書き込み手段と、上記ＴＯＣ情報により生成された識別情報を上記通信手段を介して上記情報センタに送信することにより、当該情報センタから取得された、上記オーディオ情報に対応する上記付加情報としてのタイトル名及びジャケットイメージと、上記楽譜情報とを、上記書き込み手段が上記記憶手段に書き込むように制御する制御手段と、上記記憶手段に記憶される上記オーディオ情報を出力する音声出力手段と、上記記憶手段に記憶される上記タイトル名、上記ジャケットイメージ、及び上記楽譜情報を、上記音声出力手段による上記オーディオ情報の出力に合わせて表示手段に表示させる表示制御手段と、上記楽譜情報を指定することにより上記オーディオ情報の出力開始位置を指定する指定手段とを備え、上記制御手段は、上記指定手段により指定された出力開始位置から上記オーディオ情報を出力するように上記音声出力手段を制御する。
上述したような特徴を有する記録再生装置の各手段をソフトウェア的に実現するためのプログラムが記録された記録媒体を提供することができる。
【０００９】
この記録再生装置は、装着手段に装着される記録媒体から読み出し手段により読み出したオーディオ情報をオーディオ情報書き込み手段により記憶手段に書き込み、さらに、付加情報書き込み手段により、オーディオ情報書き込み手段による記憶手段へのオーディオ情報の書き込みに応じて、通信手段を介して複数の付加情報及び楽譜情報が蓄積される情報センタと送受信することによりオーディオ情報に応じて情報センタに蓄積される所定の付加情報を記憶手段に書き込み、そして、楽譜情報書き込み手段により、所定の付加情報と共に情報センタに蓄積されているオーディオ情報に応じた楽譜情報を記憶手段に書き込む。そして、記録再生装置は、出力手段により、記憶手段に記憶されるオーディオ情報及び付加情報を出力する。
【００１０】
すなわち、記録再生装置は、記憶手段に記憶されたオーディオ情報と共に、当該オーディオ情報に応じた所定の付加情報及び楽譜情報を記憶手段に記憶する。これにより、記録再生装置は、記憶手段に記憶したオーディオ情報及び付加情報を出力手段に出力する。また、ユーザは、記憶手段に記憶された楽譜情報を参照してオーディオ情報の再生を行う。
【００１７】
本発明に係る記録再生システムは、上述の課題を解決するために、遠隔地に設置されて、複数の付加情報及び楽譜情報が蓄積されている情報センタと、この情報センタに接続される記録再生装置とを有する記録再生システムであって、上記記録再生装置は、記録媒体が装着される装着手段と、上記装着手段に装着される上記記録媒体に記録されるＴＯＣ（Table of Contents）情報及びオーディオ情報を読み出す読み出し手段と、上記情報センタに接続する通信手段と、上記読み出し手段により読み出された上記オーディオ情報を記憶手段に書き込む書き込み手段と、上記ＴＯＣ情報により生成された識別情報を、上記通信手段を介して上記情報センタに送信することにより、当該情報センタから取得された、上記オーディオ情報に対応する上記付加情報としてのタイトル名及びジャケットイメージと、上記楽譜情報とを、上記書き込み手段が上記記憶手段に書き込むように制御する制御手段と、上記記憶手段に記憶される上記オーディオ情報を出力する音声出力手段と上記記憶手段に記憶される上記タイトル名、上記ジャケットイメージ、及び上記楽譜情報を、上記音声出力手段による上記オーディオ情報の出力に合わせて表示手段に表示させる表示制御手段と、上記楽譜情報を指定することにより上記オーディオ情報の出力開始位置を指定する指定手段とを備え、上記制御手段は、上記指定手段により指定された出力開始位置から上記オーディオ情報を出力するように上記音声出力手段を制御する。
【００１８】
また、本発明に係る記録再生システムは、上述の課題を解決するために、記録再生装置と携帯再生装置とを有する記録再生システムであって、上記記録再生装置は、記録媒体が装着される装着手段と、上記装着手段に装着される上記記録媒体に記録されるＴＯＣ（Table of Contents）情報及びオーディオ情報を読み出す読み出し手段と、複数の付加情報及び楽譜情報が蓄積される情報センタに接続する通信手段と、上記読み出し手段により読み出された上記オーディオ情報を記憶手段に書き込む書き込み手段と、上記ＴＯＣ情報により生成された識別情報を上記通信手段を介して上記情報センタに送信することにより、当該情報センタから取得された、上記オーディオ情報に対応する上記付加情報としてのタイトル名及びジャケットイメージと、上記楽譜情報とを、上記書き込み手段が上記記憶手段に書き込むように制御する制御手段と、上記記憶手段に記憶される上記オーディオ情報を出力する音声出力手段と、上記記憶手段に記憶される上記タイトル名、上記ジャケットイメージ、及び上記楽譜情報を、上記音声出力手段による上記オーディオ情報の出力に合わせて表示手段に表示させる表示制御手段と、上記楽譜情報を指定することにより上記オーディオ情報の出力開始位置を指定する指定手段と、上記記憶手段に記憶される上記タイトル名、上記ジャケットイメージ、及び上記楽譜情報を、上記オーディオ情報と共に、携帯再生装置に転送する転送手段とを備え、上記制御手段は、上記指定手段により指定された出力開始位置から上記オーディオ情報を出力するように上記音声出力手段を制御し、上記携帯再生装置は、上記オーディオ情報を再生する再生手段と、上記オーディオ情報の付加情報を表示する表示部と、上記記録再生装置より転送された楽譜情報を参照して、上記オーディオ情報の所望の位置から上記再生手段が上記オーディオ情報を再生するように制御する携帯再生装置制御手段とを備える。
また、上述したような特徴を有する記録再生システムの各手段をソフトウェア的に実現するためのプログラムが記録された記録媒体を提供することができる。
【００２０】
【発明の実施の形態】
本発明の実施の形態について図面を用いて詳しく説明する。この実施の形態は、記録媒体である光ディスクから読み出されたオーディオ情報を記憶手段を書き込み、当該記憶手段に書き込んだオーディオ情報を再生する記録再生装置である。
【００２１】
記録再生装置は、図１に示すように、記録媒体が装着される装着部３及び装着部３に装着される記録媒体に記録される少なくともオーディオ情報を読み出す読み出し部４とを備える光ディスクドライブ２と、複数の付加情報及び楽譜情報が蓄積される情報センタ１５に接続する通信手段６と、記憶部５に記憶されているオーディオ情報及び当該オーディオ情報の付加情報を出力する出力手段である音声出力手段１８及び表示手段７と、ユーザにより操作され、データ入力がされる入力手段１２と、該記録再生装置１の各部の制御を行う機能と有しているＣＰＵ１３とを備えている。
【００２２】
そして、記録再生装置１において、ＣＰＵ１３は、読み出し部４により読み出したオーディオ情報を記憶部５に書き込む機能からなるオーディオ情報書き込み部８と、オーディオ情報書き込み部８による記憶部５へのオーディオ情報の書き込みに応じて、通信手段６を介して情報センタ１５と送受信することによりオーディオ情報に応じて情報センタ１５に蓄積される所定の付加情報を記憶部５に書き込む機能からなる付加情報書き込み部９と、所定の付加情報と共に、情報センタ１５に蓄積されているオーディオ情報に応じた楽譜情報を記憶部５に書き込む機能からなる楽譜情報書き込み部１０とを有している。
【００２３】
この記録再生装置１は、上記各部及び各手段がバス１４に接続されて、データの送受信等を行っている。
【００２４】
ここで、情報センタ１５は、記録再生装置１と例えばインターネット回線によって接続されているものであって、例えば、登録されている記録再生装置１に対して上記回線を介して音楽情報、映像情報等に関する各種情報を配信することができるように構成されている。
【００２５】
以下、記録再生装置１を構成する上記各部について詳しくに説明する。
上記装着部３は、上述したように光ディスクが装着される部分である。そして、この装着部３に装着された光ディスクから読み出し部４により、オーディオ情報等を読み出す。例えば、読み出し部４は、光ピックアップである。
【００２６】
この装着部３及び読み出し部４を備える光ディスクドライブ２は、当該光ディスクドライブ２に装着された光ディスクから１倍速或いはより高速、例えば８倍速、１６倍速で光ディスクに記憶される情報が読み出すように構成されている。
【００２７】
この光ディスクドライブ２の読み出し部４により読み出されたオーディオ情報は、エンコードされるか或いはそのまま記憶部５に記憶される。
【００２８】
記憶部５は、送られてくる情報を一時記憶可能な記憶手段として構成されている。例えば、記憶部５は、ハードディスクドライブ、フラッシュＲＡＭ等である。
【００２９】
上記通信手段６は、上記情報センタ１５と当該記録再生装置１を接続可能とする部分であって、例えば、モデムである。
【００３０】
上記ＣＰＵ１３は、当該記録再生装置１の各部の制御を行う機能を有しており、上述したように、オーディオ情報書き込み部８、付加情報書き込み部９及び楽譜情報書き込み部１０を有している。
【００３１】
ここで、オーディオ情報書き込み部８は、ＣＰＵ１３において、上述したように、読み出し部４により読み出したオーディオ情報を記憶部５に書き込む機能を有している。また、付加情報書き込み部９は、ＣＰＵ１３において、上述したように、オーディオ情報書き込み部８による記憶部５へのオーディオ情報の書き込みに応じて、通信手段６を介して情報センタ１５と送受信することによりオーディオ情報に応じて情報センタ１５に蓄積される所定の付加情報を記憶部５に書き込む機能を有している。また、楽譜情報書き込み部１０は、ＣＰＵ１３において、上述したように、付属情報書き込み部９が書き込む上記所定の付加情報と共に、情報センタ１５に蓄積されているオーディオ情報に応じた楽譜情報を記憶部５に書き込む機能を有している。
【００３２】
上記音声出力手段１８は、例えばスピーカであって、オーディオ情報である曲を出力する部分を構成している。
【００３３】
上記表示手段７は、例えば液晶表示部によって構成されている。この表示手段７は、記憶部５に記憶されているオーディオ情報の付加情報及び楽譜情報を表示することができる。この表示手段７は、図２に示すように、オーディオ情報の時間情報等の各種情報を出力する。
【００３４】
上記入力手段１２は、ユーザに操作されるキー等によって構成されている。例えば、入力手段１２は、入力を確定させるためのエンターキー１２ａと、数字を入力するためのテンキー１２ｂと、表示画面内においてカーソル等を移動させるための移動操作キー１２ｃ，１２ｄとから構成されている。記録再生装置１は、この入力手段１２が操作されて得た制御信号によって、各部を制御し、例えば、出力手段７にその操作に応じた各種情報を表示する。
【００３５】
以上のように記録再生装置１の各部が構成されている。この記録再生装置１は、通信手段６により、例えばインターネット回線等を介して、情報センタ１５に接続されている。
【００３６】
情報センタ１５は、オーディオ情報に対応される付加情報及び楽譜情報を蓄積している。
【００３７】
ここで、上記付加情報は、オーディオ情報に関する画像やテキスト等を含む各種情報であって、例えば、当該オーディオ情報のタイトル名等である。すなわち、記録再生装置１は、この付加情報を情報センタ１５から取得し、そして再生することにより、表示手段７にオーディオ情報のタイトル名を表示することができる。なお、付加情報には、さらに、アルバム名、ジャケットイメージ、アーティスト、楽譜、曲の解説、作詞者、作曲者、編曲者、及び製作スタッフ名等を画像情報又はテキスト情報として含めることができる。さらに、曲想を付加情報に含めることもできる。
【００３８】
上記楽譜情報は、楽章番号情報、練習番号情報、小節願号情報及び時間情報から構成されている。ここで、図３に示す楽譜を用いて、楽章番号情報、練習番号情報、小節番号情報及び時間情報を説明する。
【００３９】
楽章ＤGとは、曲の大区分であって、例えば交響曲なら起承転結とされて４楽章から構成される。そして、楽章番号情報は、楽章毎にふされた番号から構成される。
【００４０】
練習番号ＤRとは、上記楽章中、曲想が変化したり、又は曲の形式による転換点（例えば、ソナタ形式の主題の提示部と展開部のような所）につける番号であって、例えば、各人によって練習番号が付される位置は異なる。上記練習番号情報は、この練習番号から構成される。
【００４１】
小節番号ＤSとは、各楽章の小節の初めから付って番号である。上記小節番号情報は、この小節番号から構成される。
【００４２】
時間情報は、曲の時間を示すものであって、本例では、曲の全演奏時間である。
【００４３】
例えば、上記楽章番号情報、練習番号情報、小節番号情報、及び時間情報は、図４に示すようなデータ形態とされて、蓄積されている。
【００４４】
そして、情報センタ１５は、上記楽譜情報は、楽章、練習番号単位、小節単位で絶対時間を蓄積している。例えば、図５に示すように、絶対時間に対応させて、楽章、練習番号単位、小節単位で絶対時間が蓄積されている。好ましくは、絶対時間が小節単位を最小単位として当該小節に対応されて蓄積される。なお、楽譜情報に、画像情報とされた楽譜も含めることもできる。この場合、例えば、画像情報とされた楽譜には、楽譜情報とされる上述した楽章番号、練習番号、小節番号を楽譜の対応した位置に書き込みしておく。
【００４５】
なお、曲に関連される楽譜情報に関しては、記録媒体のマスター記録時に、詳細な情報として保管されていることが多いので、情報センタ１５は、レコード製作会社等から得た楽譜情報を蓄積しておくようにする。
【００４６】
また、楽譜情報は、例で示したような交響曲のものに限定されず、情報センタ１５は、ポピュラー音楽等についての楽譜情報も蓄積している。
【００４７】
このよう構成された楽譜情報の読み込みより、記録再生装置１において、オーディオ情報（曲情報）を所望の箇所、すなわち、例えば練習番号毎に再生することができる。
【００４８】
次に、記録再生装置１が曲情報を記憶部５に書き込む際の動作について、図６に示すフローチャートを用いて説明する。
【００４９】
先ず、ステップＳ１において、記録再生装置１は、読み出し部４により、光ディスク（ＣＤ；コンパクトディスク）から曲情報を読み出す。例えば、曲情報は、上述したような交響曲である。
【００５０】
続いて、記録再生装置１は、回線に照会する。すなわち、記録再生装置１は、情報センタ１５に対して当該曲情報に応じた付加情報の照会を行い、続いて、ステップＳ３において付加情報として曲名情報を情報センタ１５から当該記録再生装置１に取り込む。
【００５１】
続いて、記録再生装置１は楽譜情報があるか回線に照会する。すなわち、記録再生装置１は、情報センタ１５に対して当該曲情報に応じた楽譜情報があるか否かを確認する。ここで、楽譜情報があることが確認できた場合には、ステップＳ７に進み、また、楽譜情報があることを確認することができない場合には、ステップＳ６に進む。
【００５２】
上記ステップＳ７において、情報センタ１５から楽譜情報を送信させる。続いて、ステップＳ８において、記録再生装置１は、光ディスクの音楽情報及び上記情報センタ１５から送信させた楽譜情報を上記曲情報とともに取り込み、情報センタ１５からの情報の取り込みを終了する。
【００５３】
例えば、情報センタ１５における当該オーディオ情報に対応される楽譜情報の照会については、記録再生装置１が識別情報を当該情報センタ１５に送出することにより行う。すなわち、情報センタ１５は、回線を介して送られてきた識別情報に基づいて、楽譜情報を検索して、当該識別情報に対応した楽譜情報を記録再生装置１に送付する。例えば、識別情報は、光ディスクのＴＯＣ（Table of Contents）情報、またはＴＯＣ情報のサイズである。これは、ＴＯＣ情報のサイズを識別情報とするのは、曲毎に楽譜情報が異なることを利用したものである。
【００５４】
一方、ステップＳ６では、記録再生装置１は、ＣＤの音楽情報を取り込みを記憶部５に書き込み、情報センタ１５から音楽情報情報の取り込みを終了する。
【００５５】
以上のように、記録再生装置１は、曲情報をＣＤから読み込んだ際に、曲情報に対応した付加情報及び楽譜情報を情報センタ１５から取得して、記憶部５に当該取得した付加情報及び楽譜情報とともに曲情報を書き込む。
【００５６】
よって、記録再生装置１は、曲情報と共に、曲のタイトル名等からなる画像情報等の付加情報と、練習番号情報等を含む楽譜情報を記憶部５に記憶することができる。
【００５７】
これにより、記録再生装置１は、記憶部５に記憶した曲を音声出力手段１８により出力することができ、されにそれにあわせて、タイトル名、ジャケットイメージを表示手段７に表示させることができる。よって、この記録再生装置１を使用するユーザは、曲を再生している間、視覚的にも楽しむことができる。
【００５８】
また、記録再生装置１は、情報センタ１５から取得した楽譜情報により、所望の位置から曲の再生を行うことができる。すなわち、楽譜情報に含まれる楽章番号情報、又は練習番号情報、或いは小節番号情報を参照して、所望の位置から曲を再生することができる。よって、例えば、ユーザは、練習番号情報により、一定の曲の範囲を再生し、或いは繰り返し再生しながら、楽器の演奏を練習することができる。
【００５９】
図７には、楽譜情報を参照して所望の曲の位置から頭出しをする手順をフローチャートとして示している。
【００６０】
先ず、ステップＳ１１において、ユーザは、入力手段１２が有する図示しない表示ボタンを操作する。これにより、記録再生装置１は、ステップＳ１２として、楽譜情報を表示手段７に表示する。表示手段７には、取得した楽譜情報の楽章番号情報、練習番号情報、小節番号情報、及び時間情報に基づいて、楽章数７ａ、練習番号数７ｂ、小節数７ｃ及び時間７ｄが表示される。さらに、出力手段７には、曲のタイトル名７ｅも表示される。
【００６１】
そして、ステップＳ１３において、ユーザは、頭出しする所を選択する。すなわち、表示手段７に表示されたそれら各情報を参照して、頭出しする位置を選択する。それから、ステップＳ１４において、頭出しする所を確定する。例えば、頭出しする所の確定は、入力手段１２のエンターキー１２ａの操作によって行う。
【００６２】
この確定処理により、記録再生装置１は、ステップＳ１５において、選択した場所の頭出しを行う。
【００６３】
以上のような手順により、記憶部５に蓄積されている曲の楽譜情報を参照して、所望の曲の位置から頭出しを行うことができる。
【００６４】
なお、情報センタ１５は、オーディオ情報に対応される情報として、いわゆるインターネット上のページを指定するためのＵＲＬ（Uniform Resouce Locator）を保有することもできる。これにより、記録再生装置１は、上記付加情報、楽譜情報と共に、ＵＲＬを情報センタ１５から取得して、インターネット上に存在する当該オーディオ情報に関連あるページへのアクセスを容易にすることができる。
【００６５】
次に記録再生装置１について、より具体的な例として、図８及び図９を用いて説明する。ここで、図８に示す記録再生装置５０が上記記録再生装置１に対応されるものであり、この記録再生装置５０は、記憶部ととれるハードディスクドライブ５９に蓄積したオーディオ情報を図９に示す携帯型とされた記録再生装置（以下、携帯装置という。）１００にコピーするように構成されている。
【００６６】
記録再生装置５０は、入力手段５１を備えている。この入力手段５１には、プッシュ式又は回転式が設けられている。なお、入力手段５１には、いわゆるジョグダイアルとされる回転プッシュ式を設けることもできる。そして、この入力手段５１は、操作されることにより、記録再生装置５０の動作を制御するための制御信号を出力し、記録再生装置５０は、この制御信号に応じて動作が制御される。
【００６７】
また、記録再生装置５０は、キーボード５２を備えている。キーボード５２は、押圧操作によって操作され、当該操作に応じて信号を出力するように構成されている。このキーボード５２からの信号は、赤外線インターフェースドライバ５３及びＵＳＢ（universal serial bus）ドライバ５４により、記録再生装置５０に入力可能とされている。ここで、赤外線インターフェースドライバ５３は、赤外線によってインターフェースを可能とするものである。
【００６８】
なお、この赤外線インターフェースドライバ５３及びＵＳＢドライバ５４を介して、キーボード５２から記録再生装置５０へデータ転送を行うこともできる。
【００６９】
また、記録再生装置５０は、ＣＰＵ５８によって当該記録再生装置５０全体の動作の制御を行うためにＲＡＭ５５、ＲＯＭ５６及びフラッシュＲＡＭ５７を備えている。具体的には、ＲＯＭ５６には、入力手段５１が操作されることにより入力される入力信号に応じて当該記録再生装置の動作を制御するプログラム等が記憶されている。また、ＲＡＭ５５及びフラッシュＲＡＭ５７には、プログラムを実行する上でのデータ領域、タスク領域が一時的に確保されている。
【００７０】
なお、上記ＣＰＵ５８は、上述した記録再生装置１のＣＰＵ１３に対応して構成されている。すなわち、ＣＰＵ５８は、後述する光ディスクドライブ５９の読み出し部により読み出したデータを後述するハードディスクドライブ６０に書き込む機能と、後述するモデム７０を介して情報センタと送受信されることによりデータに応じて当該情報センタに蓄積される所定の情報をハードディスクドライブ６０に書き込む機能を備えている。
【００７１】
さらに、記録再生装置５０は、光ディスクドライブ５９を備えている。この光ディスクドライブ５９は、上述した記録再生装置１の光ディスクドライブ２に対応するものである。すなわち、光ディスクドライブ５９は、記録媒体とされる光ディスクの装着部と、当該装着部に装着された光ディスクに記録されているオーディオ情報の読み出しのための読み出し部とを備えている。
【００７２】
この光ディスクドライブ５９は、当該光ディスクドライブ５９に装着された光ディスクから１倍速或いはより高速、例えば８倍速、１６倍速で光ディスクに記憶される情報が読み出せるように構成されている。この光ディスクドライブ５９から読み出されるオーディオ情報を記憶するためにハードディスクドライブ（Hard Disk Drive；ＨＤＤ）６０が設けられている。
【００７３】
また、記録再生装置５０は、エンコーダ６２を備えている。エンコーダ６２は、バス上に転送さるデータをエンコードするように構成されている。このエンコーダ６２は、エンコードアルゴリズムとして例えばＡＴＲＡＣ２（Adaptive TRansform Acoustic Coding ２；商標）を有して構成されている。
【００７４】
そして、記録再生装置５０は、オーディオ用ＤＲＡＭ６１を備えている。オーディオ用ＤＲＡＭ６１は、各種情報を記憶する部分として構成されている。例えば、オーディオ用ＤＲＡＭ６１は、光ディスクから読み出されたオーディオ情報を一時記憶する部分とされている。
【００７５】
上記ハードディスクドライブ６０は、上記図１に示す記録再生装置１の記憶部５に対応される部分であり、上述にようにオーディオ情報、付加情報及び楽譜情報が記憶される部分である。例えば、このハードディスクドライブ６０にオーディオ情報が記憶される前処理として、上記オーディオ用ＤＲＡＭ６１に光ディスクから読み出されたオーディオ情報が記憶されるとともに、そのオーディオ情報が上記エンコーダ６２によりエンコードされた情報がオーディオ用ＤＲＡＭ６１に再び一時記憶され、最終的に、ハードディスクドライブ６０に上記エンコードされたオーディオ情報が蓄積される。
また、記録再生装置５０は、マイクロホン６３及びライン入力用のラインＩＮ６５を備えている。記録再生装置５０において、マイクロホン６３からアンプ６４を介してオーディオ信号が入力され、或いは、ラインＩＮ６５からオーディオ信号が入力され、当該入力されたオーディオ信号がＡ／Ｄコンバータ６６によりディジタル変換される。なお、上記エンコーダ６２は、このマイクロホン６３及びアンプ６４を介して入力されるオーディオ信号に対して、或いは、ラインＩＮ６５及びＡ／Ｄコンバータ６６を介して入力されるオーディオ信号に対してもエンコードするように構成されている。
【００７６】
また、記録再生装置５０は、光ディジタルＩＮ６７及びＩＥＣ９５８（International Electrotechnical Commission 958）エンコーダ６８を備えている。光ディジタルＩＮ６７は、当該記録再生装置５０への光ディジタル入力を可能にするように構成されている。この光ディジタルＩＮ６７からの光ディジタル情報がＩＥＣ９５８エンコーダ６８を介してエンコーダ６２に入力されるように構成されている。
【００７７】
さらに、記録再生装置５０は、モデム７０を備えている。このモデム７０は、上記図１に示す記録再生装置１の通信手段６に対応される部分であり、上述した情報センタ１５との間でデータの送受信を行う部分である。すなわち、モデム７０により、記録再生装置５０は、情報センタ１５において、オーディオ情報に基づく曲のタイトル、アーティスト名、作曲家、作詞家、歌詞、ジャケットイメージ等の付加情報の検索が行うことが可能になる。
【００７８】
そして、このモデム７０は、この外部ネットワーク６９であるテレネットワーク、ケーブルＴＶ、ワイヤレスネットワーク等に接続可能なインターフェースともされている。また、記録再生装置５０は、このモデム７０により、遠隔地の情報センタ１５などに対して、課金処理を行うことができる。
【００７９】
そして、記録再生装置５０は、デコーダ７１を備えている。デコーダ７１は、ハードディスクドライブ６０に蓄積される上記エンコーダ６２によりエンコードされるオーディオ情報をデコードするように構成されている。このデコーダ７１によりデコードされた上記ハードディスクドライブ６０からのオーディオ情報は、Ｄ／Ａコンバータ７２及びアンプ７３を介してスピーカ７４から出力される。ここで、デコーダ７１のデコードアルゴリズムは、上記エンコーダ６２のエンコードアルゴリズムに対応するものとされている。
【００８０】
また、記録再生装置５０は、表示部７６及びこの表示部７６の駆動用の表示ドライバ７５を備えている。表示部７６は、上記図１に示す記録再生装置１の表示手段７に対応される部分であって、例えば、液晶表示（Liquid Crystal Display；ＬＣＤ）部とされて構成されている。
【００８１】
上記表示ドライバ７５は、ハードディスクドライブ６０に蓄積されるオーディオ情報をユーザが管理、制御するためのインターフェースである。表示部７６は、各種情報を画像情報として表示する部分とされて、この表示ドライバ７５によって駆動されて各種情報を表示する。
【００８２】
そして、表示部７６は、マウス、ペン、ユーザの指で触れる等の入力手段５１としてのポインティングデバイスによって表示画面内に表示されるコマンド等が指定できるように構成されている。これにより、記録再生装置５０は、この表示部７６において指定されたオーディオ情報等を再生制御することができる。さらに、記録再生装置５０は、表示部７６により選択されたオーディオ情報の消去、外部機器へのコピー、移動等も制御可能とされる。
【００８３】
具体的には、オーディオ情報が再生される際には、表示部７６には、情報センタ１５から取得した当該オーディオ情報に対応するフォルダ、或いはジャケットイメージが表示される。また、表示部７６は、光ディスクドライブ５９に装着されるメディアのＴＯＣ情報を基に、いわゆるインターネット上のＷＷＷ（world wide wed）サイトから検索された関連情報としてのｈｔｍｌ（hyper text markup language）文書がグラフィック表示されるように構成され、更に通常のインターネットブラウザとしても使用可能となっている。
【００８４】
また、記録再生装置５０は、ＩＥＥＥ１３９４インターフェース７８及びＩＥＥＥ１３９４ドライバーを備えている。記録再生装置５０は、このＩＥＥＥ１３９４インターフェース７８、ＩＥＥＥ１３９４ドライバーを介して、衛生放送用のＩＲＤ（integrated receiver/decoder）７７、ＭＤ（商標）、ＤＶＤ（商標）、ＤＶ等からオーディオ情報を取り込むことができるように構成されている。
【００８５】
さらに、記録再生装置５０は、ＰＣＭＣＩＡ（Personal Computer Memory Card International Association）ドライバ８０及びＰＣＭＣＩＡスロット８１を備えている。ＰＣＭＣＩＡドライバ８０を介して設けられているＰＣＭＣＩＡスロット３１は、ＰＣＭＣＩＡカード８２の装着部として構成されている。記録再生装置５０は、このＰＣＭＣＩＡカード８２の装着により、外部記憶装置、その他のメディアドライブ、モデム、ターミナルアダプタ、キャプチャーボード等様々な周辺機器の拡張が容易とされる。
【００８６】
そして、記録再生装置５０は、Ｉ／Ｆドライバ８３及びＩ／Ｆ８４を備えている。記録再生装置５０は、このＩ／Ｆドライバ８３により、ハードディスクドライブ６０に蓄積されるオーディオ情報をＩ／Ｆ８４、上記携帯装置１００のＩ／Ｆ８５を介して瞬時に当該携帯装置１００にコピー、或いは移動することができる。具体的には、記録再生装置５０は、課金処理して得たオーディオ情報ファイルを他の記録再生装置にコピー或いは移動することができる。
【００８７】
以上のように構成された記録再生装置５０は、光ディスクドライブ５９に装着された光ディスクからオーディオ情報をハードディスクドライブ６０に書き込む際に、当該オーディオ情報に対応される付加情報及び楽譜情報を、モデム７０を介して情報センタから得て、これを上記オーディオ情報ととににハードディスクドライブ６０に書き込むことができる。
【００８８】
さらに、記録再生装置５０は、情報センタに対して、課金処理を行うことにより、例えば、有料によってしかオーディオ情報をコピーすることができないような光ディスクを装着した場合に、情報センタに対して課金処理をすることにより、当該光ディスクからオーディオ情報をハードディスクドライブ６０にコピーすることができるようになる。これにより、例えば、記録再生装置５０は、上述したようなオーディオ情報及びこのオーディオ情報に対応される付加情報、楽譜情報のハードディスクドライブ６０への書き込み処理が課金処理がなされたときだけ許可されるようになる。
【００８９】
このようにハードディスクドライブ６０にオーディオ情報、当該オーディオ情報に対応される付加情報及び楽譜情報が記憶された記録再生装置１は、スピーカ７４からオーディオ情報を出力すると共に、表示部７６に当該出力されちるオーディオ情報の付加情報、例えばタイトル名を表示することができる。そして、ユーザは、楽譜情報を参照して、所望の位置からオーディオ情報を頭出しを行うことができる。
【００９０】
次に、上記記録再生装置５０に接続される携帯装置１００について説明する。携帯装置１００は、記録再生装置５０に設けられる装置部に装着されることにより当該記録再生装置５０と電気的に接続されるように構成されている。上記携帯装置は、具体的には、図９に示すように構成されている。
【００９１】
携帯装置１００は、Ｉ／Ｆドライバ１０１及び上記記録再生装置５０に接続される部分とされる上記Ｉ／Ｆ８５を備えている。すなわち、Ｉ／Ｆドライバ１０１のＩ／Ｆ８５には、上記記録再生装置５０のＩ／Ｆ８４が接続される。これにより、携帯装置１００は、上記記録再生装置５０と電気的に接続された状態とされる。
【００９２】
また、携帯装置１００は、当該携帯装置１００への入力部分とされる入力手段１０２を設けている。この入力手段１０２には、プッシュ式、回動式のキーが設けられている。なお、入力手段１０２は、いわゆるジョグダイヤルとされる回動プッシュ式のキーによって構成されるものであってもよい。これらの入力手段１０２は、操作されることによりバス１３０に当該操作に対応した制御信号を出力する。この入力手段１０２からバス１３０に送出される制御信号は、当該携帯装置１００の動作を制御するための信号である。
【００９３】
さらに、携帯装置１００は、ＲＡＭ１０３及びＲＯＭ１０４を備えている。ＲＯＭ１０４には、当該携帯装置１００が接続される上記記録再生装置５０と同様に、入力手段１０２が操作されることにより入力される入力信号に応じて携帯装置１００が制御されるようなプログラム等が記憶されている。また、ＲＡＭ１０３には、プログラムを実行する上でのデータ領域、タスク領域が一時的に確保されている。そして、ＣＰＵ１０５は、これらＲＯＭ１０３及びＲＡＭ１０４に記憶される各種データにより当該携帯装置１００全体の動作を制御している。
【００９４】
そして、携帯装置１００は、オーディオ情報を記憶するため等に用いるフラッシュＲＡＭ１０６及びオーディオ用ＤＲＡＭ１０７と、エンコード処理するエンコーダ１０８とを備えている。
【００９５】
ここで、フラッシュＲＡＭ１０６には、上述した記録再生装置５０からのオーディオ情報及び当該オーディオ情報に対応した付加情報及び楽譜情報がコピー或いは移動される。具体的には、携帯装置１００が上記記録再生装置５０に接続された状態から、記録再生装置５０の表示部７６において外部機器へのコピー、或いは移動を選択することにより、この携帯装置１００のＩ／Ｆドライバ１０１を介して当該記録再生装置５０のハードディスクドライブ６０からエンコードされたオーディオ情報が当該携帯装置１００のフラッシュＲＡＭ１０６にコピー或いは移動される。
【００９６】
ここで、記録再生装置５０のハードディスクドライブ６０から携帯装置１００のフラッシュＲＡＭ１０６へのオーディオ情報の移動とは、携帯装置１００のフラッシュＲＡＭ１０６にオーディオ情報ファイルを書き込むとともに、記録再生装置５０のハードディスクドライブ６０におけるオーディオ情報ファイルの再生が禁止されることであって、すなわち、携帯装置１００についてのみ、オーディオ情報が再生可能とされるような処理をいう。
【００９７】
具体的には、ハードディスクドライブ６０からのオーディオ情報の再生の禁止は、当該オーディオ情報ファイルに再生禁止フラグを立て、或いは、当該オーディオ情報ファイルを消去することにより行う。
【００９８】
なお、携帯装置１００は、エンコードされたオーディオ情報を記録再生装置５０からコピー或いは移動されることに限定されない。すなわち、記録再生装置５０の光ディスクドライブ５９に装着される光ディスクから読み出されるオーディオ情報が直接Ｉ／Ｆドライバ１０１を介して入力されてもよく、このときフラッシュＲＡＭ１０６にオーディオ情報が記憶される前処理として、オーディオ用ＤＲＡＭ１０７に一旦記憶されると共に、そのオーディオ情報がエンコーダ１０８によりエンコードされてオーディオ用ＤＲＡＭ１０７に再び一時記憶され、最終的にフラッシュＲＡＭ１０６にエンコードされたオーディオ情報として蓄積される。
【００９９】
さらに携帯装置１００は、外部入力のためのマイクロホン１０９、ライン入力のためのラインＩＮ１１１及び光ディジタル信号入力のための光ディジタルＩＮ１１３を備えている。そして、携帯装置１００は、上記エンコーダ１０８により、このマイクロホン１０９からアンプ１１０を介して入力されるオーディオ信号、或いはこのラインＩＮ１１１から入力されてＡ／Ｄコンバータ１１２を介して入力されるオーディオ信号をエンコードすることもできる。携帯装置１００は、さらにエンコーダ１０８により、光りディジタルＩＮ１１３からＩＥＣ９５８エンコーダ１１４を介して入力される光ディジタル信号もエンコードすることができる。
【０１００】
そして、携帯装置１００は、デコーダ１１５を備えている。デコーダ１１５は、フラッシュＲＡＭ１０６に蓄積されるエンコードされたオーディオ情報をデコードする部分である。このデコーダ１１５によりデコードされたオーディオ情報は、Ｄ／Ａコンバータ１１６、アンプ１１７を介してスピーカ１１８により出力される。
【０１０１】
また、携帯装置１００は、上述した記録再生装置５０と同様に、表示部１２０及びこの表示部１２０を駆動するための表示ドライバ１１９を備えている。
【０１０２】
上記表示部１２０は、例えば、液晶表示部とされており、バス１３０に表示ドライバ１１９を介して接続されている。表示部１２０には、オーディオ情報に対応するフォルダ等が表示されており、この表示部１２０は、表示される所定のオーディオ情報がマウス、ペン、ユーザの指で触れる等により選択可能になっている。この表示部１２０において選択されたオーディオ情報は、スピーカ１１８により出力再生されたり、フラッシュＲＡＭ１０６からの消去、外部機器、ここでは記録再生装置にコピー或いは移動等が行われる。
【０１０３】
以上のように、携帯装置１００は構成されている。
【０１０４】
次に、記録再生装置５０のハードディスクドライブ６０に記憶されているオーディオ情報が、記録再生装置５０の装着部に装着されている携帯装置１００に転送される際の動作フローについて図１０を用いて詳細に説明する。
【０１０５】
まず、ステップＳ２１において携帯装置１００が記録再生装置５０の装着部に装着されているか否かを検知する。ここで、検知は、例えば、メカ的なスイッチ機構、或いは信号の送受信等により接続を検知する。
【０１０６】
記録再生装置５０に携帯装置１００が接続されていると判別されるとステップＳ２２により曲、すなわちオーディオ情報ファイルの携帯装置１００への移動の要求がユーザから指示されているか否かを判別する。具体的には表示部７６に表示されるオーディオ情報ファイルを示すフォルダのうち所定のポインティングデバイスにより選択されたオーディオ情報ファイルが携帯装置１００へ移動処理されることになる。
【０１０７】
上述のような処理により曲の移動要求が有りと判別されると、ステップＳ２３において、指定されたオーディオ情報の容量を検出する。そして、続くステップＳ２４において、携帯装置１００の空き容量を検出し、当該検出した携帯装置１００の空き容量と当該携帯装置１００に移動処理されるオーディオ情報ファイルの容量を比較する。
【０１０８】
ここで、空き容量が足りないと判別されると、ステップＳ２５において、携帯装置１００内に以前からあるオーディオ情報ファイルが自動的に削除される。例えば、携帯装置１００のフラッシュＲＡＭ１０６からのオーディオ情報ファイルの削除は、ユーザによる再生回数の少ないものを順に消去、記録された時期の日付の古いものから順に消去する等して行う。さらに、自動消去の際にユーザの許可なく消去されることにより重要なファイルが無断で消去されることもあり得ることを考慮して、例えば、記録再生装置５０の表示部７６及び携帯装置１００の表示部１２０にその警告を表示してユーザの確認を得ることができるように構成している。
【０１０９】
そして、ステップＳ２４及びステップＳ２５の処理により携帯装置１００に所定のオーディオ情報ファイルが移動可能と判断されると、続くステップＳ２６において、記録再生装置５０のハードディスクドライブ６０からＩ／Ｆ３４，３５及びＩ／Ｆドライバ１０１を介して携帯装置１００のフラッシュＲＡＭ１０６にエンコードされた所定のオーディオ情報ファイルが転送される。
【０１１０】
続く、ステップＳ２７において、記録再生装置５０のハードディスクドライブ６０に記録されているオーディオ情報ファイルに再生禁止フラグが立てられる。これにより、記録再生装置５０において、ハードディスクドライブ６０に記録されているオーディオ情報ファイルの再生が不可能になる。すなわち、所定のオーディオ情報ファイルは記録再生装置５０から携帯装置１００に仮想的に移動され、オーディオ情報ファイルは常に一つしか存在しないように管理され、不正コピーが防止される。
【０１１１】
なお、記録再生装置５０のハードディスクドライブ６０に記録されているオーディオ情報ファイルに再生禁止フラグを立てることにより、当該記録再生装置５０におけるオーディオ情報ファイルの再生を禁止しているが、転送終了後にハードディスクドライブ６０に記録されているオーディオ情報ファイルを削除することにより、記録再生装置５０における当該転送したオーディオ情報ファイルの再生を禁止することもできる。
【０１１２】
次に再びステップＳ２８において、曲の移動要求がユーザから出されているか判断し、移動要求有りの場合には上記ステップＳ２３の処理に戻り、移動要求無しとされた場合には当該処理を終了する。
【０１１３】
以上のように、記録再生装置５０のハードディスクドライブ６０に記憶されているオーディオ情報ファイルが、記録再生装置５０の装着部に装着されている携帯装置１００に書き込まれる。
【０１１４】
これにより、携帯装置１００は、記録再生装置５０からオーディオ情報を得て、当該オーディオ情報を再生することができる。そして、オーディオ情報に対応される付加情報及び楽譜情報は、オーディオ情報と共に、記録再生装置５０から携帯装置１００に書き込み処理される。
【０１１５】
よって、携帯装置１００は、記憶手段とされるフラッシュＲＡＭ１０６に書き込まれたオーディオ情報をスピーカ１１８から出力することができる。そして、携帯装置１００は、オーディオ情報の再生と共に、当該オーディオ情報の付加情報も表示部１２０により再生することができる。
【０１１６】
また、携帯装置１００により、ユーザは、楽譜情報を参照して、所望の位置から曲の頭出しをすることができる。すなわち、携帯装置１００は、携帯とされてもなお、従来のインデックスサーチ機能を備えることなく、所望の位置から曲の頭出しを行うことができる。
【０１１７】
なお、上述した携帯装置１００は、上記図９を用いて説明した構成であることに限定されない。図１１には、携帯装置１００のその変形例を示す。
【０１１８】
変形例の携帯装置２００は、上述した携帯装置１００と同様に構成されている。なお、携帯装置２００において上述した携帯装置１００の同様に構成されている箇所については、同様の番号を付し、説明を省略する。
【０１１９】
携帯装置２００は、スイッチ２０２を介してバス１３０に接続されているフラッシュＲＡＭ２０１を備えている。そして、携帯装置２００は、スイッチ２０１によりＩ／Ｆ８５とフラッシュＲＡＭ２０１との直接接続を可能にしている。上述した携帯装置１００とその変形例とされる携帯装置２００との差異は、このフラッシュＲＡＭ２０１の当該携帯装置２００における位置づけである。
【０１２０】
すなわち、図９の携帯装置１００においては、フラッシュＲＡＭ１０６がバス１３０に直接接続されており、フラッシュＲＡＭ１０６は携帯装置１００の回路から物理的な切り離しが不可能とされている。一方、図１１に示す携帯装置２００においては、フラッシュＲＡＭ２０１は、スイッチ２０２によって、バスに電気的に接続されるように構成されている。すなわち、図１１に示す携帯装置２００にあっては、スイッチ２０２の切り換えにより簡単にフラッシュＲＡＭ２０１がバス１３０に対して切り離しが可能とされており、これにより、外部の記録再生装置との接続が容易とされる。
【０１２１】
このようにスイッチ２０２を切り替えることにより、フラッシュＲＡＭ２０１は、Ｉ／Ｆ８５を介して記録再生装置５０の記憶部の一つとして構成されるようになり、すなわち、記録再生装置５０のＣＰＵ５８によりフラッシュＲＡＭ２０１の制御が可能とされるような回路構成とされている。
【０１２２】
なお、上記記録再生装置５０において、光ディスクドライブ５９が情報を読み出す対象を光ディスクとしているが、情報を読み出す対象を光磁気ディスク、メモリカード等であってもかまわない。
【０１２３】
また、上記記録再生装置５０において、エンコーダ６２のエンコードアルゴリズムは情報圧縮されるエンコードアルゴリズムであればよく、よって、例えば、エンコードアルゴリズムをＴｗｉｎＶＱ（商標）、ＲｅａｌＡｕｄｉｏ（商標）、ＬｉｑｕｉｄＡｕｄｉｏ（商標）等として構成することもできる。
【０１２４】
さらに、上記記録再生装置５０では、エンコーダ６２によりエンコードされたオーディオ情報がハードディスクドライブ６０に蓄積されるように構成されているが、光ディスクドライブ５９から読み出される情報がそのままハードディスクドライブ６０に蓄積されるようにしてもかまわない。
【０１２５】
そして、上記記録再生装置５０は、ユーザがリクエストする曲情報が直接外部ネットワーク６９からダウンロードされるように構成することもでき、メディア情報に対応して曲情報が返信されるように構成して所定のメディアのボーナストラックが配信により取得されるように構成することもできる。
【０１２６】
また、上記記録再生装置５０は、携帯装置１００にデータの送受信が行うと共に、当該携帯装置１００に充電されるような充電部を備えることもできる。
【０１２７】
また、携帯装置１００においては、フラッシュＲＡＭ１０６をハードディスクドライブに代用することもできる。
【０１２８】
さらに、上記携帯装置１００は、記録再生装置５０の装着部に物理的に装着されることにより記録再生装置５０との送受信が可能とされているが、非接触型のＩ／Ｆによって接続されてもよく、例えばＩｒＤＡ等を用いることで可能になる。
【０１２９】
また、上述した記録再生装置１は、図１２に示すように、ＣＰＵ１３に少なくとも書き込み部１６を備えるようにすることもできる。
【０１３０】
この場合、記録再生装置１は、読み出し部４が読み出したオーディオ情報を音声出力手段１８により再生すると共に、通信手段６を介して情報センタと送受信することにより当該オーディオ情報に応じて情報センタ１５に蓄積されていた上述したようなタイトル名等からなる所定の付加情報を表示手段７に出力し、上記書き込み部１６により、情報センタ１５に蓄積されているオーディオ情報に応じた楽譜情報を、表示手段７が出力している付加情報と共に記憶部５に書き込むように構成する。
【０１３１】
このように構成することにより記録再生装置１は、オーディオ情報の再生時において、情報センタ５から得た付加情報を記憶部５にいったん記憶することなく、直接、表示手段７に表示することができる。そして、一方で、記録再生装置１は、書き込み部１６により、表示手段７に表示した付加情報を、情報センタから取得した楽譜情報と共に記憶部５に記憶することができるようになる。
【０１３２】
よって、ユーザは、記憶部５に記憶された楽譜情報を参照することができ、オーディオ情報のについて所望の位置からの頭出しを行う再生を行うことができる。
【０１３３】
【発明の効果】
本発明に係る記録再生装置は、装着手段に装着される記録媒体から読み出し手段により読み出したオーディオ情報をオーディオ情報書き込み手段により記憶手段に書き込み、さらに、付加情報書き込み手段により、オーディオ情報書き込み手段による記憶手段へのオーディオ情報の書き込みに応じて、通信手段を介して複数の付加情報及び楽譜情報が蓄積される情報センタと送受信することによりオーディオ情報に応じて情報センタに蓄積される所定の付加情報を記憶手段に書き込み、そして、楽譜情報書き込み手段により、所定の付加情報と共に情報センタに蓄積されているオーディオ情報に応じた楽譜情報を記憶手段に書き込むことができる。そして、この記録再生装置は、出力手段により、記憶手段に記憶されるオーディオ情報及び付加情報を出力することができる。
【０１３４】
よって、記録再生装置は、記憶手段に記憶されたオーディオ情報と共に、当該オーディオ情報に応じた所定の付加情報及び楽譜情報を記憶手段に記憶し、当該記憶手段に記憶したオーディオ情報及び付加情報を出力手段に出力することができる。また、ユーザは、記憶手段に記憶された楽譜情報を参照することにより、オーディオ情報について所望の位置からの頭出しを行うことができる。
【０１３５】
また、本発明に係る記録再生方法は、記録媒体から読み出したオーディオ情報をオーディオ情報書き込み工程において記憶手段に書き込み、さらに、付加情報書き込み工程において、オーディオ情報書き込みによる記憶手段へのオーディオ情報の書き込みに応じて、通信手段を介して複数の付加情報及び楽譜情報が蓄積される情報センタと送受信することによりオーディオ情報に応じて情報センタに蓄積される所定の付加情報を記憶手段に書き込み、そして、楽譜情報書き込み工程において、所定の付加情報と共に情報センタに蓄積されているオーディオ情報に応じた楽譜情報を記憶手段に書き込む。そして、記録再生方法は、出力工程において、記憶手段に記憶されるオーディオ情報及び付加情報を出力することができる。
【０１３６】
よって、記録再生方法は、記憶手段に記憶されたオーディオ情報と共に、当該オーディオ情報に応じた所定の付加情報及び楽譜情報を記憶手段に記憶し、当該記憶手段に記憶したオーディオ情報及び付加情報を出力手段に出力することができる。また、ユーザは、記憶手段に記憶された楽譜情報を参照することにより、オーディオ情報について所望の位置からの頭出しを行うことができる。
【０１３７】
また、本発明に係る記録再生装置は、装着手段に装着される記録媒体から読み出し手段により読み出したオーディオ情報を再生手段により再生すると共に、通信手段を介して複数の付加情報及び楽譜情報が蓄積される情報センタと送受信することによりオーディオ情報に応じて情報センタに蓄積される所定の付加情報を出力手段により出力することができる。そして、記録再生装置は、書き込み手段により、所定の付加情報と共に、情報センタに蓄積されているオーディオ情報に応じた楽譜情報を記憶手段に書き込むことができる。
【０１３８】
よって、記録再生装置は、オーディオ情報を再生すると共に、情報センタから取得した付加情報を出力手段により出力し、さらに、当該付加情報を、情報センタから取得した楽譜情報と共に記憶手段に記録することができる。そして、ユーザは、記憶手段に記憶された楽譜情報を参照することにより、オーディオ情報のについて所望の位置からの頭出しを行う再生を行うことができるようになる。
【０１３９】
本発明に係る記録再生システムは、装着手段に装着される記録媒体から読み出し手段により読み出したオーディオ情報をオーディオ情報書き込み手段により記憶手段に書き込み、さらに、付加情報書き込み手段により、オーディオ情報書き込み手段による記憶手段へのオーディオ情報の書き込みに応じて、通信手段を介して複数の付加情報及び楽譜情報が蓄積される情報センタと送受信することによりオーディオ情報に応じて情報センタに蓄積される所定の付加情報を記憶手段に書き込み、そして、楽譜情報書き込み手段により、所定の付加情報と共に情報センタに蓄積されているオーディオ情報に応じた楽譜情報を記憶手段に書き込むことができる。そして、記録再生装置は、出力手段により、記憶手段に記憶されるオーディオ情報及び付加情報を出力することができる。
【０１４０】
よって、記録再生システムは、記憶手段に記憶されたオーディオ情報と共に、当該オーディオ情報に応じた所定の付加情報及び楽譜情報を記憶手段に記憶し、当該記憶手段に記憶したオーディオ情報及び付加情報を出力手段に出力することができる。また、ユーザは、記憶手段に記憶された楽譜情報を参照することにより、オーディオ情報について所望の位置からの頭出しを行うことができる。
【図面の簡単な説明】
【図１】本発明の実施の形態である記録再生装置の構成を示すブロック回路図である。
【図２】上記記録再生装置の備える表示手段及び入力手段を示す図である。
【図３】楽譜情報を説明するために用いた楽譜を示す図である。
【図４】楽譜情報のデータ形態を示す図である。
【図５】時間情報を示す図である。
【図６】情報センタから付加情報及び楽譜情報を取得する手続きを示すフローチャートである。
【図７】楽譜情報に基づいて曲の頭出しをする手順を示すフローチャートである。
【図８】上記記録再生装置よりもさらに具体的な例とされた本発明の実施の形態である記録再生装置である。
【図９】上記さらに具体的な例とされた記録再生装置に装着される携帯装置の構成を示すブロック回路図である。
【図１０】上記さらに具体的な例とされた記録再生装置から上記携帯装置にオーディオ情報を転送する一連の手順を示すフローチャートである。
【図１１】上記携帯装置の変形例とされる携帯装置の構成を示すブロック回路図である。
【図１２】本発明に係る他の実施の形態の記録再生装置であって、ＣＰＵに書き込み部を備える記録再生装置を示すブロック回路図である。
【符号の説明】
１  記録再生装置、２  光ディスクドライブ、６  通信手段、７  表示手段、８  オーディオ情報書き込み部、９  付加情報書き込み部、１０  楽譜情報書き込み部、１３  ＣＰＵ、１６  書き込み部、１８  音声出力手段
【図１】
0003885345.tif 000002
【図２】
0003885345.tif 000003
【図３】
0003885345.tif 000004
【図４】
0003885345.tif 000005
【図５】
0003885345.tif 000006
【図６】
0003885345.tif 000007
【図７】
0003885345.tif 000008
【図８】
0003885345.tif 000009
【図９】
0003885345.tif 000010
【図１０】
0003885345.tif 000011
【図１１】
0003885345.tif 000012
【図１２】
0003885345.tif 000013